(57)【要約】【課題】小型・携帯で便利でありながら、所望のブロックの記入欄へのマーキングを的確且つスムーズに行なうことが出来る記入用補助具を提供する。【解決手段】複数の記入欄２１が所定パターンで配列されているブロック２２が、所定パターンで複数配列されている記入シート２０への記入を補助するための記入用補助具１に、１つのブロック２２分の記入欄２１に対応する複数の記入用孔５が設けられている記入部６ａと、記入部６ａの各記入用孔５がブロック２２毎の記入欄２１に対応するように、記入部６ａの複数のブロック２２の配列方向へのスライドを案内する切欠き長孔８とを形成する。【選択図】    図１
2005022290.tif 000002
【特許請求の範囲】
【請求項１】
複数の記入欄が所定パターンで配列されているブロックが、所定パターンで複数配列されている記入シートへの記入を補助するための記入用補助具であって、１つの前記ブロックの各記入欄に対応する複数の記入用孔が設けられている記入部と、前記記入部の各前記記入用孔が前記ブロック毎の各前記記入欄に対応するように、前記記入部の複数の前記ブロックの配列方向へのスライドを案内するガイド部とを備えていることを特徴とする、記入用補助具。
【請求項２】
板状の本体板を備え、前記ガイド部が、前記本体板の一側端部において、前記記入シートの一側端部に係止可能な切欠き長孔として形成されており、前記記入部が、前記本体板における前記切欠き長孔から前記本体板の他側端部にわたって形成されていることを特徴とする、請求項１に記載の記入用補助具。
【請求項３】
板状の本体板と、前記本体板と前記記入シートを挟んで対向可能に配置される台板とを備え、前記ガイド部が、前記本体板及び前記台板における複数の前記ブロックの配列方向と直交する方向の両端部を連結する連結部として形成され、前記記入部が、前記本体板に形成されていることを特徴とする、請求項１に記載の記入用補助具。
【請求項４】
前記記入部が、異なる種類の前記記入シートの前記ブロックに対応して、複数設けられていることを特徴とする、請求項１ないし３のいずれかに記載の記入用補助具。
【発明の詳細な説明】
【０００１】
【発明の属する技術分野】
本発明は、記入用補助具、詳しくは、マークシート方式の記入シートへの記入を補助するための記入用補助具に関する。
【０００２】
【従来の技術】
近年、例えば、試験の解答用紙や各種アンケートの回答用紙あるいは宝くじや日本中央競馬会の投票券などで、マークシート方式の記入シートが使用されている。
【０００３】
このようなマークシート方式の記入シートにあっては、その表面に複数の記入欄が所定パターンで記載されており、記入者が所望の記入欄を筆記具でマーキングする一方、マーキングされた記入シートを光学式読み取り機で自動的に読み取り、コンピュータ処理することにより、採点や投票の集計等を行なうようしている。
【０００４】
しかしながら、記入シートの記入欄は小さいので、筆記具で記入欄にマーキングする際に、そのマーキングが記入欄からはみ出るなどして書き損じたりする不具合がある。
【０００５】
そこで従来では、記入シートと同じ大きさのプレート部に、記入シートに表示されている記入欄と対応する複数の記入用孔を設けた記入用補助具が提案され、この記入補助具のプレート部を記入シートの表面に被せた後、所望の記入欄と対応する記入用孔を介して所望の記入欄にマーキングを行なうことで、マーキングが記入欄からはみ出るのを防ぐようにしている（例えば、特許文献１参照）。
【０００６】
【特許文献１】
特開２００１−３２５５７０号公報
【発明が解決しようとする課題】
ところで、マークシート方式の記入シートとしては、例えば財団法人日本宝くじ協会が「ナンバーズフォー」や「ロトシックス」などの名称で販売している数字選択式の宝くじのように、複数の記入欄が所定パターンで配列されたブロックが所定パターンで複数配列されているタイプのものが見受けられる。以上のような記入欄が多数印刷されている記入シートに上記の記入用補助具を用いると、記入用補助具の形状が必然的に記入シートと同じ大きさとなり、持ち運びに不便であるし、また記入用補助具が記入シートの表面全域をほぼ覆ってしまうことから、記入シートの表面に記載されている使用説明書きなども記入用補助具により覆われてしまって、使用しずらいという不具合がある。
【０００７】
本発明は、以上の実情に鑑みて開発したものであって、前記したごとく、複数の記入欄が所定パターンで配列されたブロックが所定パターンで複数配列された記入シートにあっては、この記入シートに配列されている複数のブロックの記入欄が同一のパターンであることに着目し、その目的とするところは、小型・携帯で便利でありながら、所望のブロックの記入欄へのマーキングを的確且つスムーズに行なうことが出来る記入用補助具を提供することにある。
【０００８】
【課題を解決するための手段】
前記した目的を達成するために、請求項１に記載の発明は、複数の記入欄が所定パターンで配列されているブロックが、所定パターンで複数配列されている記入シートへの記入を補助するための記入用補助具であって、１つの前記ブロックの各記入欄に対応する複数の記入用孔が設けられている記入部と、前記記入部の各前記記入用孔が前記ブロック毎の各前記記入欄に対応するように、前記記入部の複数の前記ブロックの配列方向へのスライドを案内するガイド部とを備えていることを特徴とするものである。
【０００９】
以上の記入用補助具によれば、複数の記入欄が所定パターンで配列されたブロックが所定パターンで複数配列された記入シートに対して、ガイド部を介して記入用補助具を記入シートに対して適宜スライドさせるだけで、所望のブロックの記入欄へのマーキングを的確且つスムーズに行なうことが出来る。
【００１０】
また請求項２に記載の発明は、請求項１に記載の発明において、板状の本体板を備え、前記ガイド部が、前記本体板の一側端部において、前記記入シートの一側端部に係止可能な切欠き長孔として形成されており、前記記入部が、前記本体板における前記切欠き長孔から前記本体板の他側端部にわたって形成されていることを特徴とするものである。
【００１１】
以上の記入用補助具によれば、記入シートの一側端部を切欠き長孔に挿入するだけで、記入用補助具を記入シートに対して簡単に係止して位置決めすることが出来、記入用補助具の記入シートに対する確実なスライドを確保することができる。
【００１２】
また請求項３に記載の発明は、請求項１に記載の発明において、板状の本体板と、前記本体板と前記記入シートを挟んで対向可能に配置される台板とを備え、前記ガイド部が、前記本体板及び前記台板における複数の前記ブロックの配列方向と直交する方向の両端部を連結する連結部として形成され、前記記入部が、前記本体板に形成されていることを特徴とするものである。
【００１３】
以上の補助具によれば、台板がいわゆる下敷きとしての役割を果たし、記入シートを取り付けた記入用補助具を台に固定せずとも記入欄への確実なマーキングを行うことが出来る。
【００１４】
更に請求項４に記載の発明は、請求項１ないし３のいずれかに記載の発明において、前記記入部が、異なる種類の前記記入シートの前記ブロックに対応して、複数設けられていることを特徴とするものである。
【００１５】
以上の記入用補助具によれば、１つの記入用補助具を、種類の異なる記入シートの記入欄へのマーキングに使用することが出来る。
【００１６】
【発明の実施の形態】
図１は、本発明にかかる記入用補助具の一実施形態を示したものであって、この記入用補助具１は、財団法人日本宝くじ協会が販売する数字選択式の宝くじ、例えば「ナンバーズフォー」および「ロトシックス」へのマーキング（すなわち、筆記具を用いて、後述する記入シート２０・３０の記入欄２１・３１へ印を付する行為）を補助するために用いられる。
【００１７】
「ナンバーズフォー」の宝くじ２は、図４に示すように、横長の記入シート２０の表面に、数字の上下を括弧で囲んだ複数の記入欄２１が略碁盤の目状となるように縦方向（「０」〜「９」の１０行）と横方向（４列）に配列されたブロック２２が、横方向に等間隔で５組配列されている。
【００１８】
また「ロトシックス」の宝くじ３にあっても、図５に示すように、横長の記入シート３０の表面に、数字の上下を括弧で囲んだ複数の記入欄３１が略碁盤の目状となるように縦方向（「１」〜「１０」の１０行）と横方向（５列）に配列されたブロック３２が、横方向に等間隔で５組配列されている。これら「ナンバーズフォー」と「ロトシックス」において、横方向に隣り合う記入欄２１または３１の間隔は、「ナンバーズフォー」と「ロトシックス」のいずれも同一であるが、縦方向に隣り合う記入欄２１または３１の間隔は、「ロトシックス」のほうが、「ナンバーズフォー」よりも若干広くなっている。
【００１９】
これら宝くじ２・３へのマーキングに際して用いられる記入用補助具１は、図１に示すように、名刺とほぼ同一サイズ（縦９ｃｍ、横５．５ｃｍ）の平面視長方形の合成樹脂製の薄板から形成された本体板４を備えている。この本体板４には、前述の「ナンバーズフォー」の宝くじ２及び「ロトシックス」の宝くじ３の記入シート２０・３０に記載されているブロック２２・３２の各記入欄２１・３１に対応する記入用孔５が設けられている記入部６と、記入部６の記入用孔５がブロック２２・３２毎の記入欄２１・３１に対応するように、複数のブロック２２・３２の配列方向（図４、図５の横方向であって、図１の上下方向）へのスライドを案内するガイド部としての切欠き長孔８とが、本体板４を貫通するように開口形成されている。
【００２０】
即ち、本体板４は、可撓性を有し、その一方側半分（図１では上半分）が、「ナンバーズフォー」の宝くじ２の各記入欄２１に対する記入部６ａとして用られ、この記入部６ａには、「ナンバーズフォー」の宝くじ２の１つのブロック２２分の記入欄２１と対応する複数の記入用孔５が略碁盤の目状となるように上下方向と左右方向に設けられている。
【００２１】
また本体板４の他方側半分（図１では下半分）が、「ロトシックス」の宝くじ３の各記入欄３１に対する記入部６ｂとして用いられ、この記入部６ｂには、「ロトシックス」の宝くじ３の１つのブロック３２分の記入欄３１と対応する複数の記入用孔５が略碁盤の目状となるように上下方向と左右方向に設けられている。
【００２２】
なお、各記入用孔５は、マークすべき形状に対応する左右に長い長方形として、開口形成されている。
【００２３】
また本体板４の上下方向に直交する左右方向の一側端部（図１では右側端部）には、記入シート２０・３０の一側端部（右側端部）を挿入可能な切欠き長孔８が開口形成されている。
【００２４】
この切欠き長孔８は、本体板４の右側端部縁に対して平行に延びる直線孔部８１と、この直線孔部８１の長さ方向両端から本体板４の右側端部縁に向かって斜めに延びる傾斜孔部８２とが連続して開口形成されている。記入シート２０・３０の右側端部がこの切欠き長孔８に挿入されることで、本体板４における直線孔部８１と傾斜孔部８２で囲まれた板部分４１を介して、本体板４が記入シート２０・３０に狭持状に係止される。
【００２５】
また傾斜孔部８２の右側端縁が、本体板４を記入シート２０・３０に対して、この記入シート２０・３０のブロック２２・３２の配列方向にスライドさせる際のガイド当接部７を構成し、切欠き長孔８に挿入された記入シート２０・３０に対して本体板４をガイド当接部７を当接させながらスライドさせることで、記入部６の記入用孔５が記入シート２０・３０に記載されているブロック２２・３２毎の記入欄２１・３１に位置決めされ、これによって、記入用孔５と記入欄２１・３１とが合致する。
【００２６】
以上の記入用補助具１は、名刺サイズであるので、例えば財布などに入れて自由に持ち運びできる。
【００２７】
そして、例えば宝くじ売り場などにおいて、「ロトシックス」の宝くじ３を購入して、マーキングを行なう際には、図２、図３に示すように、記入シート３０の右側端部を本体板４の切欠き長孔８に挿入して、板部分４１と本体板４との間で記入シート３０を狭持状に係止した後、記入シート３０の右側端部縁に対してガイド当接部７を当接させながら本体板４を上下方向にスライドさせ、ロトシックス用の記入部６ｂを記入シート３０の所望のブロック３２に対向させて、記入部６ｂの各記入用孔５に記入欄３１を臨ませた上で、所定の記入欄３１に記入用孔５を介してマーキングする。このマーキング作業に際しては、図６に示すように、筆記具（鉛筆）Ｐが記入用孔５で規制されて、記入欄３１からはみ出るような不具合はない。
【００２８】
そして、また別のブロック３２の記入欄３１にマーキングを行なう場合には、再度、記入シート３０の右側端部縁に対してガイド当接部７を当接させながら本体板４を上下方向にスライドさせて、記入部６ｂをその別のブロック２２に対向させれば、直ちにそのブロック３２の記入欄３１にマーキングを、的確且つスムーズに行なうことが出来る。
【００２９】
つまり、この記入用補助具１では、記入シート２０・３０の右側端部を切欠き長孔８に挿入するだけで、記入用補助具１を記入シート２０・３０に対して簡単に係止して位置決めすることが出来、記入用補助具１の記入シート２０・３０に対する確実なスライドを確保することができる。
【００３０】
しかも、記入シート３０が部分的に記入補助具１で覆われるだけであるので、記入シート３０に記載されている説明書きなどは容易に読むことが出来る。
【００３１】
なお、「ナンバーズフォー」の宝くじ２を購入してマーキングを行なう場合にも、上記と同様に、ナンバーズ用の記入部６ａを記入シート２０の所望のブロック２２に対向させることで、記入シート２０の所望の記入欄２１に記入用孔５を介してマーキングすることが出来る。
【００３２】
図７〜図１１は、本発明にかかる記入用補助具の他の実施形態を示したものである。この記入用補助具１０も、財団法人日本宝くじ協会が販売する数字選択式の宝くじ「ナンバーズフォー」と「ロトシックス」へのマーキングを補助するために用いられる。
【００３３】
この記入用補助具１０は、名刺とほぼ同一サイズ（縦９ｃｍ、横５．５ｃｍ）の平面視長方形の本体板４０と、この本体板４０と同一形状で且つこの本体板４０と所定間隔隔てて対向する台板９と、これら本体板４０及び台板９の左右方向両端部、つまり、右側端縁及び左側端縁を連結するガイド部としての連結部９０とを連続して備えている。
【００３４】
この記入用補助具１０は合成樹脂から形成され、本体板４０と台板９との間の内寸法は、記入シート２０・３０の厚さとほぼ同一に設定され、また、左右の連結部９０の間の内寸法は、記入シート２０・３０の左右幅とほぼ同一に設定されており、これによって、これら本体板４０、台板９、左右の連結部９０で囲まれた空間Ｓ内に、記入シート２０・３０を、がたつきなく挿入できるように構成されている。
【００３５】
そして本体板４０には、図１と同様に、その上半分が、「ナンバーズフォー」の宝くじ２の各記入欄２１に対する記入部６ａとして用られ、この記入部６ａには、「ナンバーズフォー」の宝くじ２の１つのブロック２２分の記入欄２１と対応する複数の記入用孔５０が略碁盤の目状となるように上下方向と左右方向に設けられている。
【００３６】
また本体板４０の下半分が、「ロトシックス」の宝くじ３の各記入欄３１に対する記入部６ｂとして用いられ、この記入部６ｂには、「ロトシックス」の宝くじ３の１つのブロック３２分の記入欄３１と対応する複数の記入用孔５０が略碁盤の目状となるように上下方向と左右方向に設けられている。
【００３７】
なお、各記入用孔５０は、上記と同様に、マークすべき形状に対応する左右に長い長方形として、開口形成されている。
【００３８】
そして、以上の実施形態では、連結部９０の内側面が、本体板４を記入シート２０・３０に対して、この記入シート２０・３０のブロック２２・３２の配列方向（上下方向）にスライドさせる際のガイド当接部７を構成している。
【００３９】
以上の記入用補助具１０にあっても、名刺サイズであるので、財布などに入れて自由に持ち運びできる。
【００４０】
そして、例えば「ナンバーズフォー」の宝くじ２のマーキングを行なう際には、図８、図９に示すように、本体板４０と台板９と左右の連結部９０とで囲まれた空間Ｓ内に記入シート２０を挿入した後、台板９とともに本体板４を記入シート２０に対してガイド当接部７に沿って上下方向にスライドさせて、ナンバーズ用の記入部６ａを記入シート２０の所望のブロック２２に対向させ、記入部６ａの各記入用孔５０から記入欄２１を臨ませた上で、所定の記入欄２１に記入用孔５０を介してマーキングする。このマーキング作業に際しては、上記と同様（図６参照）に、筆記具（鉛筆）Ｐが記入用孔５で規制されて、記入欄２１からはみ出るような不具合はない。
【００４１】
また、マーキング作業時には、図１０、図１１に示すように、台板９がマーキングの際の下敷きとしての役割を果たすので、マーキング作業のためのテーブルなどがなくても、手に持ったままでマーキングが容易に行なえる。そのため、例えば、宝くじ売り場で立ったままでも、マーキングを正確に行うことが出来る。
【００４２】
そして、また別のブロック２２の記入欄２１にマーキングを行なう場合には、再度、本体板４を記入シート２０に対してガイド当接部７に沿って上下方向にスライドさせて、記入部６ａをそのブロック２２に対向させれば、直ちにそのブロック２２の記入欄２１にマーキングを行なうことが出来る。
【００４３】
以上の記入用補助具１０にあっても、記入シート２０が部分的に記入補助具１０で覆われるだけであるので、記入シート２０に記載されている説明書きなどは容易に読むことが出来る。
【００４４】
なお、以上の記入用補助具１０により、「ロトシックス」の宝くじ３を購入してマーキングを行なう場合にも、上記と同様に、ロトシックス用の記入部６ｂを記入シート３０の所望のブロック３２に対向させることで、記入シート３０の所望の記入欄３１に記入用孔５０を介してマーキングすることが出来る。
【００４５】
以上の実施形態では、記入用補助具１・１０を合成樹脂から形成したが、これに限定されるものではなく、例えば紙材や軽金属材料から形成してもよい。
【００４６】
なお、記入用補助具１・１０は透明な材料から形成することが好ましい。記入用補助具１・１０を透明な材料から形成することで、記入用補助具１・１０に覆われている記入用シート２０・３０の部分の説明書きなども読むことができる。
【００４７】
また以上の実施形態では、１つの記入用補助具１・１０に、「ナンバーズフォー」に対応する記入部６ａと「ロトシックス」に対応する記入部６ｂ、つまり、２種類の記入部６ａ・６ｂを設けたので、この１つの記入用補助具１・１０で、種類の異なる「ナンバーズフォー」の宝くじ２の記入欄２１へのマーキングと、「ロトシックス」の宝くじ３の記入欄３１へのマーキングとを兼用することができる。
【００４８】
また以上の実施形態では、本発明の記入用補助具を、数字選択式の宝くじ「ナンバーズフォー」と「ロトシックス」とに用いるものとして説明したが、上記説明は、単なる例示であって、本発明の記入用補助具は、何ら上記実施形態に限定されることなく、その他のマークシート方式の記入シートへのマーキングに、広く用いることが出来る。
【００４９】
【発明の効果】
以上のごとく請求項１に記載の発明によれば、複数の記入欄が所定パターンで配列されたブロックが所定パターンで複数配列された記入シートに対して、ガイド部を介して記入用補助具を記入シートに対して適宜スライドさせるだけで、所望のブロックの記入欄へのマーキングを的確且つスムーズに行なうことが出来ながら、しかも必要最小限の大きさとした小型・携帯で便利なものとすることができる。
【００５０】
また請求項２に記載の発明によれば、請求項１に記載の発明の効果に加え、記入シートの一端部を切欠き長孔に嵌め込むだけで、記入用補助具を記入シートに簡単且つ容易に係止することが出来、記入欄へのマーキングが行い易い。
【００５１】
また請求項３に記載の発明によれば、請求項１に記載の発明の効果に加え、マーキングに際して、台板がいわゆる下敷きとしての役割を果たし、例えば、記入シートを取り付けた記入用補助具を台に固定せずとも記入欄へのマーキングを正確に行なうことが出来る。
【００５２】
更に請求項４に記載の発明によれば、請求項１ないし３のいずれかに記載の発明の効果に加え、種類の異なる記入シート毎に記入用補助具を用意せずとも、１つの記入用補助具を、種類の異なる記入シートの記入欄へのマーキングに使用することが出来、広い汎用性を有することができる。
【図面の簡単な説明】
【図１】本発明にかかる記入用補助具の一実施形態を示す斜視図である。
【図２】図１におけるＸ−Ｘ線断面図である。
【図３】図２おけるＡ−Ａ線とＢ−Ｂ線部分の拡大断面図である。
【図４】「ナンバーズフォー」の宝くじの要部の正面図である。
【図５】「ロトシックス」の宝くじの要部の正面図である。
【図６】記入用補助具を用いて記入欄に記入する過程を示す説明図である。
【図７】本発明にかかる記入用補助具の他の実施形態を示す斜視図である。
【図８】図７におけるＹ−Ｙ線断面図である。
【図９】図２おけるＣ−Ｃ線とＤ−Ｄ線部分の拡大断面図である。
【図１０】図７に示す記入用補助具の使用説明図である。
【図１１】図７に示す記入用補助具の使用説明図である。
【符号の説明】
１・１０      記入用補助具
２０・３０    記入用シート
２１・３１    記入欄
２２・３２    ブロック
４・４０      本体板
５・５０      記入用孔
６            記入部
７            ガイド部
８            切欠き長孔
９            台板
９０          連結部
【図１】
2005022290.tif 000003
【図２】
2005022290.tif 000004
【図３】
2005022290.tif 000005
【図４】
2005022290.tif 000006
【図５】
2005022290.tif 000007
【図６】
2005022290.tif 000008
【図７】
2005022290.tif 000009
【図８】
2005022290.tif 000010
【図９】
2005022290.tif 000011
【図１０】
2005022290.tif 000012
【図１１】
2005022290.tif 000013